(57)【要約】【課題】対象画像を簡単な操作により所望の形状にトリミングできるようにする。【解決手段】画像のトリミングが指示された場合、切り取り線の入力を受け付ける処理（Ｓ１３０，Ｓ１４０）と、受け付けた切り取り線で画像を分割する処理（Ｓ１５０）と、分割された２つの画像のうち消去対象を設定する処理（Ｓ１６０〜Ｓ２００）と、設定された消去対象の画像を消去する処理（Ｓ２１０）とを繰り返すことにより画像のトリミングを行なう。この際、トリミングの繰り返し回数Ｎが所定回数Ｎｒｅｆ未満の場合には分割された２つの画像のうちユーザーにより指定された画像を消去対象に設定し、繰り返し回数Ｎが所定回数Ｎｒｅｆ以上の場合には分割された２つの画像のうち面積が小さい方の画像を消去対象に設定する。【選択図】図４
2012199810.tif 000002
【特許請求の範囲】
【請求項１】
対象画像をトリミングするトリミング装置であって、
前記対象画像を画面上に表示して該対象画像の外枠線上の２点に接する切り取り線の入力をユーザーの操作により受け付ける入力受付処理と、前記対象画像を前記外枠線と前記入力された切り取り線とにより囲まれる２つの領域に分割する分割処理と、該分割された２つの領域のうち消去対象の領域を設定する消去対象設定処理と、該設定された消去対象の領域を消去する消去処理と、を繰り返すことにより、前記対象画像をトリミングする
ことを特徴とするトリミング装置。
【請求項２】
請求項１記載のトリミング装置であって、
前記消去対象設定処理は、前記２つの領域のうち面積が狭い方の領域を前記消去対象の領域に設定する処理である
トリミング装置。
【請求項３】
請求項２記載のトリミング装置であって、
前記消去対象設定処理は、前記各処理の繰り返し回数が所定回数未満の場合には前記分割された２つの領域のうちユーザーの操作により指定された領域を前記消去対象の領域に設定し、前記各処理の繰り返し回数が前記所定回数以上の場合には前記２つの領域のうち面積が狭い方の領域を前記消去対象の領域に設定する処理である
トリミング装置。
【請求項４】
請求項２記載のトリミング装置であって、
前記消去対象設定処理は、元の対象画像の上下左右の四辺のいずれかの辺が残っている場合には前記分割された２つの領域のうちユーザーの操作により指定された領域を前記消去対象の領域に設定し、前記元の対象画像の上下左右の四辺のいずれの辺も消去されている場合には前記２つの領域のうち面積が狭い方の領域を前記消去対象の領域に設定する処理である
トリミング装置。
【請求項５】
請求項１記載のトリミング装置であって、
前記消去対象設定処理は、前記対象画像を表示する画面上の任意の座標の指定をユーザーの操作により受け付けると共に前記２つの領域のうち前記指定された座標を含む領域を前記消去対象の領域に設定する処理である
トリミング装置。
【請求項６】
請求項１記載のトリミング装置であって、
前記消去対象設定処理は、前記対象画像を表示する画面上の任意の座標の指定をユーザーの操作により受け付けると共に前記２つの領域のうち前記指定された座標を含まない領域を前記消去対象の領域に設定する処理である
トリミング装置。
【請求項７】
請求項１記載のトリミング装置であって、
前記消去対象設定処理は、前記対象画像に含まれる顔を認識し、前記２つの領域のうちの一方の領域に顔が含まれていると認識された場合には、顔が含まれていない方の領域を前記消去対象の領域に設定する処理である
トリミング装置。
【請求項８】
請求項１記載のトリミング装置であって、
前記消去対象設定処理は、前記２つの領域のうち元の対象画像の中心座標から遠い方の領域を前記消去対象の領域に設定する処理である
トリミング装置。
【請求項９】
請求項１ないし８いずれか１項に記載のトリミング装置を備え、該トリミング装置によりトリミングされた画像を印刷する印刷装置。
【発明の詳細な説明】
【技術分野】
【０００１】
本発明は、対象画像をトリミングするトリミング装置およびトリミング装置を備えトリミング装置によりトリミングされた画像を印刷する印刷装置に関する。
【背景技術】
【０００２】
従来、この種のトリミング装置としては、対象図面に対してユーザーによる消去可能範囲の入力と暫定消去範囲の入力とを受け付け、消去可能範囲と暫定消去範囲との論理和を求め、求めた論理和を実消去範囲として対象図形を部分的に消去するものが提案されている（例えば、特許文献１参照）。
【先行技術文献】
【特許文献】
【０００３】
【特許文献１】特開平７−１０５２１０号公報
【発明の概要】
【発明が解決しようとする課題】
【０００４】
しかしながら、上述したトリミング装置では、例えば、矩形の画像からハート形や星形などのように複雑な形状にトリミングする場合を考えると、消去範囲の入力に複雑な操作が要求されるため、入力操作の慣れていないユーザーにとっては所望の形状にトリミングすることが極めて困難である。
【０００５】
本発明のトリミング装置および印刷装置は、対象画像を簡単な操作により所望の形状にトリミングできるようにすることを主目的とする。
【０００６】
本発明のトリミング装置および印刷装置は、上述の主目的を達成するために以下の手段を採った。
【課題を解決するための手段】
【０００７】
本発明のトリミング装置は、
対象画像をトリミングするトリミング装置であって、
前記対象画像を画面上に表示して該対象画像の外枠線上の２点に接する切り取り線の入力をユーザーの操作により受け付ける入力受付処理と、前記対象画像を前記外枠線と前記入力された切り取り線とにより囲まれる２つの領域に分割する分割処理と、該分割された２つの領域のうち消去対象の領域を設定する消去対象設定処理と、該設定された消去対象の領域を消去する消去処理と、を繰り返すことにより、前記対象画像をトリミングする
ことを要旨とする。
【０００８】
この本発明のトリミング装置では、対象画像を画面上に表示して対象画像の外枠線上の２点に接する切り取り線の入力をユーザーの操作により受け付ける入力受付処理と、対象画像を外枠線と入力された切り取り線とにより囲まれる２つの領域に分割する分割処理と、分割された２つの領域のうち消去対象の領域を設定する消去対象設定処理と、設定された消去対象の領域を消去する消去処理と、を繰り返すことにより、対象画像をトリミングする。これにより、ユーザーは、対象画像を切り取り線により少しずつ切り取ることにより、所望の形状の画像を簡単に作成することができる。
【０００９】
こうした本発明のトリミング装置において、前記消去対象設定処理は、前記２つの領域のうち面積が狭い方の領域を前記消去対象の領域に設定する処理であるものとすることもできる。こうすれば、消去対象の領域を指定するユーザーの手間をなくすことができる。この態様の本発明のトリミング装置において、前記消去対象設定処理は、前記各処理の繰り返し回数が所定回数未満の場合には前記分割された２つの領域のうちユーザーの操作により指定された領域を前記消去対象の領域に設定し、前記各処理の繰り返し回数が前記所定回数以上の場合には前記２つの領域のうち面積が狭い方の領域を前記消去対象の領域に設定する処理であるものとすることもできるし、前記消去対象設定処理は、元の対象画像の上下左右の四辺のいずれかの辺が残っている場合には前記分割された２つの領域のうちユーザーの操作により指定された領域を前記消去対象の領域に設定し、前記元の対象画像の上下左右の四辺のいずれの辺も消去されている場合には前記２つの領域のうち面積が狭い方の領域を前記消去対象の領域に設定する処理であるものとすることもできる。こうすれば、画像を大まかな形に切り取りその後に少しずつ細かい部分を切り取ることによりトリミングする場合にユーザーによる消去対象の画像の指定の手間をより少なくすることができる。
【００１０】
または、本発明のトリミング装置において、前記消去対象設定処理は、前記対象画像を表示する画面上の任意の座標の指定をユーザーの操作により受け付けると共に前記２つの領域のうち前記指定された座標を含む領域を前記消去対象の領域に設定する処理であるものとすることもできるし、前記消去対象設定処理は、前記対象画像を表示する画面上の任意の座標の指定をユーザーの操作により受け付けると共に前記２つの領域のうち前記指定された座標を含まない領域を前記消去対象の領域に設定する処理であるものとすることもできる。こうすれば、ユーザーは画面上の任意の座標を指定するだけで分割された２つの領域のうちの一方を消去することができる。
【００１１】
或いは、本発明のトリミング装置において、前記消去対象設定処理は、前記対象画像に含まれる顔を認識し、前記２つの領域のうちの一方の領域に顔が含まれていると認識された場合には、顔が含まれていない方の領域を前記消去対象の領域に設定する処理であるものとすることもできる。こうすれば、消去対象の領域を指定するユーザーの手間をなくすことができる。
【００１２】
或いは、本発明のトリミング装置において、前記２つの領域のうち元の対象画像の中心座標から遠い方の領域を前記消去対象の領域に設定する処理であるものとすることもできる。こうすれば、消去対象の領域を指定するユーザーの手間をなくすことができる。
【００１３】
本発明の印刷装置は、上述した各態様のいずれかの本発明のトリミング装置を備え、トリミング装置によりトリミングされた画像を印刷することを要旨とする。この本発明の印刷装置によれば、本発明のトリミング装置を備えるから、本発明のトリミング装置が奏する効果、例えば、ユーザーは対象画像を切り取り線により少しずつ切り取ることにより所望の形状の画像を簡単に作成することができる効果や、消去対象の領域を指定するユーザーの手間をなくすことができる効果、ユーザーは画面上の任意の座標を指定するだけで分割された２つの領域のうちの一方を消去することができる効果などを奏することができる。
【図面の簡単な説明】
【００１４】
【図１】本実施形態であるプリンター２０の外観を示す外観斜視図。
【図２】本実施形態のプリンター２０の機能ブロックを示すブロック図。
【図３】トップメニュー画面７０の一例を示す説明図。
【図４】トリミング印刷処理ルーチンの一例を示すフローチャート。
【図５】トリミングの様子を示す説明図。
【図６】消去対象の画像を選択する様子を示す説明図。
【図７】消去対象の画像を選択する様子を示す説明図。
【発明を実施するための形態】
【００１５】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１６】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の側面には電源をオンオフするための電源ボタン２６が、それぞれ設けられている。また、本体２１の前面には、印刷機構４０により印刷された用紙を保持する排紙トレイ２４と、写真や印刷時の設定を確認するための液晶ディスプレイ（ＬＣＤ）２５と、排紙トレイ２４に隣接した位置の赤外線通信ポート２８とが設けられている。赤外線通信ポート２８は、受光部が内蔵されており、リモートコントロール装置３０の発光部３０ａからの発光を受光することにより、リモートコントロール装置３０のボタン操作によってプリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１７】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１８】
ＬＣＤ２５は、ＬＣＤコントローラー５４による表示制御を受けて文字や図形，記号などを表示すると共に人の指による入力操作が可能な静電容量方式のタッチパネル付き液晶ディスプレイである。ＬＣＤ２５は、本実施形態では、９６０ドット×２４０ドットの画素により構成されている。
【００１９】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、を備え、これらはバス５９を介して互いに電気的に接続されている。
【００２０】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるフラッシュメモリー６４と、電源ボタン２６からの操作信号を入力するインターフェース６５（Ｉ／Ｆ）とを備える。このメインコントローラー６０は、メモリーカードスロット５６に挿入されたメモリーカードＭＣから画像ファイルなどを入力したり、赤外線通信コントローラー５２からの操作信号や印刷機構４０の各部からの検出信号などを入力したりする。また、メインコントローラー６０は、メモリーカードＭＣに編集画像などを保存したり、プリンターＡＳＩＣ４８への指令信号やＬＣＤコントローラー５４への制御信号を出力したりする。
【００２１】
こうして構成された本実施形態のプリンター２０では、トップメニューボタン３３が押されると、トップメニュー画面を表示して各種項目の選択を受け付ける。図３にトップメニュー画面７０の一例を示す。トップメニュー画面７０では、本実施形態では、図示するように、メモリーカードＭＣやフラッシュメモリー６４に記憶されている画像データを順次再生するための「スライドショー」や写真を印刷するための「写真の印刷」，写真を所望の形にトリミングして印刷するトリミング印刷や写真を多面レイアウトで印刷するレイアウト印刷，写真にフレームを付けて印刷するフレーム印刷などを行なうための「いろいろな印刷」，メモリーカードＭＣ内のデータをフラッシュメモリー６４にバックアップするための「データ管理」の項目がある。ユーザーは、これらの項目のいずれかを上下左右ボタン３５により選択し、ＯＫボタン３６を押すことにより決定することができる。
【００２２】
トップメニュー画面７０でユーザーにより「いろいろな印刷」が選択され、更に、「トリミング印刷」が選択されると、写真選択画面によりメモリーカードＭＣやフラッシュメモリー６４内に記憶されている写真の中から印刷する写真の選択を受け付け、編集画面により選択写真を所望の形状にトリミングし、続く設定画面により選択された写真の印刷枚数や用紙サイズ，用紙種類，フチ／日付の設定を受け付け、各設定項目が選択されるとプレビュー画面を表示して印刷ボタン３８が押されるのを待つ。印刷ボタン３８が押されると、トリミングされた写真（ＲＧＢデータ）を読み出し、ＲＧＢデータをリサイズしてＣＭＹＫデータに色変換し、色変換後のＣＭＹＫデータにハーフトーン処理を施すことにより２値化して印刷データを生成し、生成した印刷データに基づいて印刷機構４０を制御することにより印刷を実行する。
【００２３】
次に、こうして構成された本実施形態のプリンター２０の動作、特に、写真をトリミングして印刷する際の動作について説明する。図４は、トリミング印刷処理ルーチンの一例を示すフローチャートである。このルーチンは、ユーザーによりトリミング印刷が指示されたときに実行される。なお、トリミング印刷の指示は、前述したように、トップメニュー画面７０で「いろいろな印刷」を選択した後に、更に「トリミング印刷」を選択することにより行なうことができる。以下、トリミング印刷処理ルーチンを、図５に例示する画像のトリミングの様子を参照しながら説明する。
【００２４】
トリミング印刷処理ルーチンが実行されると、メインコントローラー６０のＣＰＵ６１は、まず、トリミング対象の画像を入力する処理を実行する（ステップＳ１００）。この処理は、実施例では、メモリーカードＭＣやフラッシュメモリー６４内に記憶されている画像の一覧をＬＣＤ２５に表示し、表示した画像の一覧からユーザーのボタン操作によって選択されたものを入力するものとした。続いて、入力した画像をトリミングするための編集画面を表示し（ステップＳ１１０）、後述する繰り返し回数Ｎを値０に初期化する（ステップＳ１２０）。
【００２５】
そして、編集画面上で切り取り線の入力を受け付ける（ステップＳ１３０，図５（１）参照）。この処理は、本実施形態では、写真の外枠線を横切るようにユーザーが指でなぞることによりその軌跡を切り取り線として入力するものとした。切り取り線が入力されると、その入力が適正であるか否かを判定、即ち、切り取り線が画像の外枠線の２点に接しているか否かを判定し（ステップＳ１４０）、切り取り線が適正でない場合にはステップＳ１３０に戻って再度切り取り線の入力を受け付ける。一方、切り取り線の入力が適正である場合には画像を切り取り線で分割する（ステップＳ１５０，図５（２）参照）。
【００２６】
画像を分割すると、繰り返し回数Ｎが所定回数Ｎｒｅｆ（例えば、５回など）未満か否かを判定する（ステップＳ１６０）。このルーチンを初めて実行したときには繰り返し回数Ｎは値０であるから、ステップＳ１６０では肯定的な判定がなされ、次に、消去する画像の指定をユーザーから受け付け（ステップＳ１７０）、指定された画像を消去対象に設定する（ステップＳ１８０，図５（３）参照）。ここで、消去する画像の指定は、本実施形態では、編集画面上に「消去したい画像にタッチして下さい。」などのメッセージを表示し、タッチされた画面上の座標に基づいてその座標を含む画像を特定することにより行なわれる。
【００２７】
消去対象が設定されると、消去対象の画像を消去し（ステップＳ２１０，図５（４）参照）、繰り返し回数Ｎを値１だけインクリメントする（ステップＳ２２０）。そして、ＯＫボタン３６が押されてトリミングが確定されたか否かを判定し（ステップＳ２３０）、トリミングが確定されていない場合には確定されるまでステップＳ１３０に戻ってステップＳ１３０〜Ｓ２２０の処理を繰り返す（図５（５）〜（７）参照）。このように、切り取り線の入力するステップＳ１３０，Ｓ１４０の処理と、切り取り線で画像を分割するステップＳ１５０の処理と、分割された２つの画像のうち消去対象を設定するステップＳ１７０，Ｓ１８０の処理と、設定された消去対象の画像を消去するステップＳ２１０の処理とを繰り返すことにより、即ち、切り取り線で画像を少しずつ切り取ることにより、１回の切り取りでは作成困難な複雑な形状であっても比較的簡単に作成することができる。
【００２８】
ステップＳ１３０〜Ｓ２２０の処理を繰り返しているときに、ステップＳ１６０で繰り返し回数Ｎが所定回数Ｎｒｅｆ以上と判定された場合には、分割された２つの画像の面積をそれぞれ算出し（ステップＳ１９０）、２つの画像のうち面積が小さい方の画像を消去対象に設定する（ステップＳ２００）。これは、画像を複雑な形状に切り抜く場合、まず、大まかな形に切り取り、その後に、少しずつ細かい部分を切り取ることで所望の形状とすることが多いと考えられることに基づいてる。即ち、繰り返し回数Ｎが比較的少ない場面では面積の大きな画像が切り取られ、繰り返し回数Ｎが比較的多い場面では面積の小さな画像が切り取られる傾向があると考えられることに基づいている。なお、画像の面積の算出は、画像の領域に包含される画素（ピクセル）の数を計測することにより求めることができる。
【００２９】
ステップ２３０でトリミングが確定されると、トリミングされた画像でプレビュー画面を作成し、作成したプレビュー画面をＬＣＤ２５に出力して印刷ボタン３８が押されるまで待つ（ステップＳ２４０，Ｓ２５０，図５（８）参照）。印刷ボタン３８が押されると、印刷処理を実行して（ステップＳ２６０）、本ルーチンを終了する。
【００３０】
ここで、本実施形態の構成要素と本発明の構成要素との対応関係を明らかにする。本実施形態の図４のトリミング印刷処理ルーチンのステップＳ１３０，Ｓ１４０の処理が本発明の「入力受付処理」に相当し、トリミング印刷処理ルーチンのステップＳ１５０の処理が「分割処理」に相当し、トリミング印刷処理ルーチンのステップＳ１６０〜Ｓ２００の処理が「消去対象設定処理」に相当し、トリミング印刷処理ルーチンのステップＳ２１０の処理が「消去処理」に相当する。
【００３１】
以上説明した本実施形態のプリンター２０によれば、画像のトリミングが指示された場合、切り取り線の入力を受け付ける処理と、受け付けた切り取り線で画像を分割する処理と、分割された２つの画像のうち消去対象を設定する処理と、設定された消去対象の画像を消去する処理とを繰り返すことにより画像のトリミングを行なうから、１回の切り取りでは作成困難な複雑な形状であっても比較的簡単に作成することができる。しかも、トリミングの繰り返し回数Ｎが所定回数Ｎｒｅｆ未満の場合には分割された２つの画像のうちユーザーにより指定された画像を消去対象に設定し、繰り返し回数Ｎが所定回数Ｎｒｅｆ以上の場合には分割された２つの画像のうち面積が小さい方の画像を消去対象に設定するから、画像を大まかな形に切り取りその後に少しずつ細かい部分を切り取ることによりトリミングする場合にユーザーによる消去対象の画像の指定の手間をより少なくすることができる。
【００３２】
上述した実施形態では、トリミングの繰り返し回数Ｎが所定回数Ｎｒｅｆ未満の場合には分割された２つの画像のうちユーザーにより指定された画像を消去対象に設定し、繰り返し回数Ｎが所定回数Ｎｒｅｆ以上の場合には分割された２つの画像のうち面積が小さい方の画像を消去対象に設定するものとしたが、これに限定されるものではなく、繰り返し回数Ｎに拘わらず分割された２つの画像のうち面積が小さい方の画像を消去対象に設定するものとしてもよいし、繰り返し回数Ｎに拘わらず分割された２つの画像のうちユーザーにより指定された画像を消去対象に設定するものとしてもよい。前者の場合、ステップＳ１２０，Ｓ１６０，Ｓ１７０，Ｓ１８０の処理を省略するものとすればよく、後者の場合、ステップＳ１２０，Ｓ１６０，Ｓ１９０，Ｓ２００の処理を省略するものとすればよい。
【００３３】
上述した実施形態では、トリミングの繰り返し回数Ｎが所定回数Ｎｒｅｆ未満の場合には分割された２つの画像のうちユーザーにより指定された画像を消去対象に設定し、繰り返し回数Ｎが所定回数Ｎｒｅｆ以上の場合には分割された２つの画像のうち面積が小さい方の画像を消去対象に設定するものとしたが、これに限定されるものではなく、元画像の外枠線（四辺）が完全に切り取られるまでは分割された２つの画像のうちユーザーにより指定された画像を消去対象に設定し、元画像の外枠線（四辺）が完全に切り取られた後は分割された２つの画像のうち面積が小さい方の画像を消去対象に設定するものとしてもよい。この場合、元画像の外枠線（四辺）が完全に切り取られたか否かは、例えば、切り取り後の画像の外枠線上の各座標と元画像の外枠線上の各座標とを比較し、いずれか一つでも一致する座標が存在するか否かを判定すればよい。
【００３４】
また、その他、図６に示すように、画像を解析して画像に含まれる人物の顔を認識するものとし、分割された２つの画像のうち顔が含まれない画像を消去対象に設定するものとしてもよいし、図７に示すように、分割された２つの画像のうちのいずれかにＬＣＤ画面上（元画像）の中心座標から遠い方の画像を消去対象に設定するものとしてもよい。後者の場合、例えば、分割された２つの画像のうちいずれかに中心座標が含まれる場合にはその中心座標が含まれない方の画像を消去対象に設定し、分割された２つの画像の領域のうちいずれもが中心座標に含まれない場合には中心座標と分割された２つの画像の各外枠線上の座標との間の最短距離が遠い方の画像を消去対象に設定するものとすればよい。
【００３５】
上述した実施形態では、ユーザーがＬＣＤ画面上の任意の座標を指定することにより分割された２つの画像のうち指定された座標を含む方の画像を消去対象に設定するものとしたが、分割された２つの画像のうち指定された座標を含まない方の画像を消去対象に設定するものとしてもよい。また、分割された２つの画像のうち消去対象を選択できるものであれば、ユーザーによる如何なる操作により選択するものとしてもよい。
【００３６】
上述した実施形態では、ＬＣＤ２５をタッチパネル付きの液晶ディスプレイにより構成し、ＬＣＤ２５を介して切り取り線の入力や消去する画像の指定を受け付けるものとしたが、これに限定されるものではなく、例えば、マウスを接続して使用するなど、入力や指定を如何なる入力デバイスを介して受け付けるものとしてもよい。
【００３７】
上述した実施形態では、本発明をプリンター２０に適用して説明したが、原稿の読み取りが可能なスキャナーを備えるマルチファンクションプリンターに適用するものとしたり、ＦＡＸ機能を備えるＦＡＸ装置に適用するものとしてもよい。また、本発明をトリミング装置の形態とするものとしてもよい。
【００３８】
なお、本発明は上述した実施形態に何ら限定されることはなく、本発明の技術的範囲に属する限り種々の態様で実施し得ることはいうまでもない。
【符号の説明】
【００３９】
２０  プリンター、２１  本体、２２  取っ手、２３  オートシードフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４７  キャッピング装置、４８  プリンターＡＳＩＣ、５２  赤外線通信コントローラー、５４  ＬＣＤコントローラー、５６  メモリーカードスロット、５８  メモリーカードコントローラー、５９  バス、６０  メインコントローラー、６１  ＣＰＵ、６２  ＲＯＭ、６３  ＲＡＭ、６４  フラッシュメモリー、６５  インターフェース（Ｉ／Ｆ）、７０  トップメニュー画面。
【図１】
2012199810.tif 000003
【図２】
2012199810.tif 000004
【図３】
2012199810.tif 000005
【図４】
2012199810.tif 000006
【図５】
2012199810.tif 000007
【図６】
2012199810.tif 000008
【図７】
2012199810.tif 000009